(57)【要約】【課題】防塵・防摘性に優れ、清掃が容易であるとともに、試料カップを用いない測定や試料を回転させない状態での測定にも対応できる光学特性測定装置を提供する。【解決手段】装置ケーシング１６の開口１６ｂに固定された測定台１７と、測定台１７の位置決めボス１７ｂ内に回転軸３２ａが臨まされた電動モータ３２と、測定台１７に載置される試料回転ユニット１８とを備えている。試料回転ユニット１８は、上カバー３４と、試料台２２と、ギア（駆動軸）３６と、台板３７とで構成されている。試料回転ユニット１８を測定台１７に載置したとき、台板３７の位置決め穴３７ａが測定台１７の位置決めボス１７ｂに嵌合して、測定台１７に試料回転ユニット１８が位置決めされると同時に、ギア３６が回転軸３２ａにカップリング結合されるようになる。【選択図】図５
2014224733.tif 000002
【特許請求の範囲】
【請求項１】
試料に照明光を照射し、前記試料からの反射光若しくは透過光を検出することで、前記試料の反射特性若しくは吸光特性を測定する光学特性測定装置において、
装置ケーシングの天板の開口を上方から塞いで固定され、前記照明光と反射光若しくは透過光の出射と入射を兼ねる測定窓が形成された測定台と、
前記測定台に取付けられ、前記測定台の表面から突出する位置決めボス内に回転軸が臨まされた電動モータと、
前記測定台の表面に載置される試料回転ユニットとを備え、
前記試料回転ユニットは、上カバーと、この上カバーの開口内で回転自在に支持され、前記試料を載せる試料台と、前記試料台の従動軸部に結合する駆動軸と、前記試料台と前記駆動軸とを前記上カバーとの間で保持し、前記駆動軸の位置に位置決め穴が形成された台板とで構成され、
前記試料回転ユニットを前記測定台の表面に載置したとき、前記台板の位置決め穴が前記測定台の位置決めボスの外周に嵌合して、前記測定台に前記試料回転ユニットが位置決めされると同時に、前記駆動軸が前記回転軸にカップリング結合されるようになることを特徴とする光学特性測定装置。
【請求項２】
前記試料回転ユニットは、前記測定台にマグネットで吸着保持されることを特徴とする請求項１に記載の光学特性測定装置。
【請求項３】
前記試料回転ユニットは、前記台板の位置決め穴が嵌まり込む前記測定台の位置決めボスを中心に回動可能であり、所定の回動位置でクリック止めされることを特徴とする請求項１または２記載の光学特性測定装置。
【請求項４】
前記台板は、前記上カバーに着脱可能に固定されていることを特徴とする請求項１〜３のいずれか一項に記載の光学特性測定装置。
【発明の詳細な説明】
【技術分野】
【０００１】
本発明は、光学特性測定装置に関する。
【背景技術】
【０００２】
従来、試料に照明光を照射し、試料からの反射光若しくは透過光を検出することで、試料の反射特性若しくは吸光特性を測定する光学特性測定装置がある（特許文献１参照）。
【０００３】
この光学特性測定装置としては、図１１（ａ）に示すように、例えばトップポート型の分光測色計１がある。この分光測色計１は、筐体の天板１ａおよび積分球２の天面に連通して測定窓（測定ポート）３が形成され、その測定窓３の上に載せた試料４の色などの光学特性を測定するものである。
【０００４】
積分球２の内部には、光源用のキセノンランプ５および光源測定用の光ファイバ６が設けられている。また、積分球２の側面に形成された開口７は受光光学系８が臨まされ、積分球２の中央には、測定窓３と開口７との間に光路を形成するミラー９が設けられている。
【０００５】
そして、キセノンランプ５からの照明光が紫外線カットフィルタ１０を通して積分球２内に放射され、積分球２内を散乱して測定窓３の上に載せた試料４を照明する。この試料４からの反射光は、ミラー９から開口７を通して受光光学系８に入射されて反射分光強度信号が得られ、試料４の色を測定することができる。また、照明光自体の分光強度は、測定窓３を閉塞した状態で、照明光が光ファイバ６から受光光学系８に入射され、参照光分光強度信号として得られる。
【０００６】
かかる分光測色計１は、トップポート型であることから、図１１（ｂ）に示すように、粉粒体や液体の試料４ａを底部が透明な試料カップ（例えばシャーレ）４ｂに入れることで、それらの反射分光強度を測定することができる。また、図１１（ｃ）に示すように、大型の果実などの試料４ｃを測定窓３の上に直接載せて、反射分光強度を測定することもできる。
【０００７】
特許文献１は、試料４の回転機構を備えていないが、粉粒体や液体の試料４ａを試料カップ４ｂに入れて測定するに際して、試料４ａが均質でない場合や、測定面積が試料４ａの粒径に対して充分大きくない場合がある。このような場合、試料４ａの表面のムラの影響により測定再現性が著しく低下する。
【０００８】
そこで、試料４の回転機構を備えている光学特性測定装置を用いれば、試料カップ４ｂを測定窓３の上で回転させながら測定することで、試料４ａの表面を平均的に測定することができる。
【先行技術文献】
【特許文献】
【０００９】
【特許文献１】特開２０１１−１３３４６３号公報
【発明の概要】
【発明が解決しようとする課題】
【００１０】
前述のような試料の回転機構を備えているタイプと、備えていないタイプとに共通する課題としては、試料４の粉粒体や液体を試料カップ４ｂに入れて測定するに際して、こぼれた粉粒体や液体が装置の内部に入り込まないような防塵・防摘対策が要望されている。また、こぼれた粉粒体や液体が付着した装置の外部の部品の清掃が容易であることも要望されている。
【００１１】
さらに、試料４の回転機構を備えているタイプの課題としては、試料カップ４ｂを用いない測定や試料４を回転させない状態での測定にも対応できることが要望されている。
【００１２】
本発明は、前記要望に応えるためになされたもので、防塵・防摘性に優れ、清掃が容易であるとともに、試料カップを用いない測定や試料を回転させない状態での測定にも対応できる光学特性測定装置を提供することを目的とするものである。
【課題を解決するための手段】
【００１３】
前記課題を解決するために、本発明は、試料に照明光を照射し、前記試料からの反射光若しくは透過光を検出することで、前記試料の反射特性若しくは吸光特性を測定する光学特性測定装置である。そして、装置ケーシングの天板の開口を上方から塞いで固定され、前記照明光と反射光若しくは透過光の出射と入射を兼ねる測定窓が形成された測定台を備えている。また、前記測定台に取付けられ、前記測定台の表面から突出する位置決めボス内に回転軸が臨まされた電動モータと、前記測定台の表面に載置される試料回転ユニットとを備えている。前記試料回転ユニットは、上カバーと、この上カバーの開口内で回転自在に支持され、前記試料を載せる試料台と、前記試料台の従動軸部に結合する駆動軸とを備えている。また、前記試料台と前記駆動軸とを前記上カバーとの間で保持し、前記駆動軸の位置に位置決め穴が形成された台板を備えている。そして、前記試料回転ユニットを前記測定台の表面に載置したとき、前記台板の位置決め穴が前記測定台の位置決めボスの外周に嵌合して、前記測定台に前記試料回転ユニットが位置決めされる。それと同時に、前記駆動軸が前記回転軸にカップリング結合されるようになる。
【００１４】
本発明によれば、測定台の測定窓の測定中心に対して試料回転ユニットの試料台の回転中心を偏心させている状態で、試料台に試料を載せ、電動モータの回転軸を回転させると、駆動軸と従動軸部を介して試料台が上カバーの開口内で回転されるようになる。これにより、試料台に載せた試料は、試料台の回転に伴って回転移動しながら測定窓に対向するから、試料の表面を平均的に測定できるようになる。
【００１５】
ここで、測定台の測定窓の測定中心に対して試料回転ユニットの試料台の回転中心を偏心させている状態で、電動モータの回転軸を回転させなければ、測定窓の測定中心に対向する試料の表面だけをスポット測定することができる。
【００１６】
一方、装置ケーシングの天板の開口を上方から塞ぐように測定台を固定している。したがって、試料である粉粒体や液体を底部が透明な試料カップに入れて測定するに際して、誤って粉粒体や液体をこぼしても、この開口から装置ケーシング内に入り込まないので、装置ケーシング内の光学系等に対する防塵・防摘性を確保することができる。また、電動モータの回転軸は、測定台の位置決めボス内に臨まされているから、位置決めボスと回転軸との間に簡易な防塵・防摘用シール（Ｖリング等）を介在させるだけで、高精度で防塵・防摘性が確保できる。
【００１７】
さらに、試料台と駆動軸は、上カバーと台板との間で保持されているから、電動モータの回転軸から駆動軸に回転力が伝達された際に、試料台と駆動軸との位置ずれが生じない。
【００１８】
また、試料回転ユニットの駆動軸は、測定台の回転軸とカップリング結合されるから、試料回転ユニットを測定台から容易に着脱できるので、試料台および試料回転ユニットの清掃が容易に行える。
【００１９】
さらに、装置ケーシングの表面に電気接点等が無いため、試料回転ユニット自体に厳しい防塵・防摘性が要求されないから、試料回転ユニットは、分解や清掃が容易な構成を採用することができる。
【００２０】
前記試料回転ユニットは、前記測定台にマグネットで吸着保持される構成とすることができる。
【００２１】
この構成によれば、試料回転ユニットを測定台にマグネットで吸着保持することで、測定台に対して試料回転ユニットが不用意に動かないように保持することができる。また、マグネットによる吸着保持であるから、試料回転ユニットを測定台に対して回動させ、あるいは、測定台から簡単に取り外すこともできる。
【００２２】
前記試料回転ユニットは、前記台板の位置決め穴が嵌まり込む前記測定台の位置決めボスを中心に回動可能であり、所定の回動位置でクリック止めされる構成とすることができる。
【００２３】
この構成によれば、試料回転ユニットは、測定台の位置決めボスを中心に回動可能であるから、測定台の測定窓の測定中心に対して試料台の回転中心を遠ざけ、あるいは近づけることができる。したがって、試料台の回転に伴って試料を回転移動させながら測定窓に対向させる場合、大小に拘わらず試料を測定台の測定窓に臨ませて試料の表面を平均的に測定できるから、汎用性が向上するようになる。
【００２４】
前記台板は、前記上カバーに着脱可能に固定されている構成とすることができる。
【００２５】
この構成によれば、上カバーから台板を取り外せば、上カバーと試料台と駆動軸とを簡単に分解でき、各部品の点検・清掃が容易であるとともに、各部品の再組み立ても簡単かつ迅速に行えるようになる。
【発明の効果】
【００２６】
本発明によれば、防塵・防摘性に優れ、清掃が容易であるとともに、試料カップを用いない測定や試料を回転させない状態での測定にも対応することができる。
【図面の簡単な説明】
【００２７】
【図１】本発明に係る光学特性測定装置であり、（ａ）は試料回転ユニットを載置した斜視図、（ｂ）は平面図である。
【図２】図１の光学特性測定装置であり、試料回転ユニットを取り外した斜視図である。
【図３】図１の光学特性測定装置の側面断面図である。
【図４】測定台であり、（ａ）は表面側の斜視図、（ｂ）は裏面側の斜視図である。
【図５】測定台に試料回転ユニットを載置した側面断面図である。
【図６】試料回転ユニットを裏面側から見た分解斜視図である。
【図７】（ａ）は測定台のギア部分の断面図、（ｂ）〜（ｄ）はカップリング部分の嵌合経過を示す断面図である。
【図８】図１の光学特性測定装置であり、（ａ）は試料回転ユニットを回動させた斜視図、（ｂ）は（ａ）の平面図である。
【図９】図１の光学特性測定装置であり、（ａ）は大型の試料カップを載せた斜視図、（ｂ）は試料回転ユニットを回動させ、小型の試料カップを載せた斜視図である。
【図１０】図１の光学特性測定装置の測定台に試料ユニットを載置した斜視図である。
【図１１】背景技術の光学特性測定装置であり、（ａ）は側面断面図、（ｂ）は測定窓に試料カップを載せた斜視図、（ｃ）は測定窓に大型の試料を載せた斜視図である。
【発明を実施するための形態】
【００２８】
以下、本発明を実施するための形態について、図面を参照しながら詳細に説明する。図１は光学特性測定装置１５であり、（ａ）は試料回転ユニット１８を載置した斜視図、（ｂ）は平面図である。図２は図１の光学特性測定装置１５であり、試料回転ユニット１８を取り外した斜視図である。図３は図１の光学特性測定装置１５の側面断面図である。
【００２９】
光学特性測定装置１５は、四角箱状の装置ケーシング１６を備え、装置ケーシング１６の天板１６ａの一側には、円形状の測定台１７が固定され、この測定台１７の表面には、略同径の試料回転ユニット１８が載置されている。装置ケーシング１６の天板１６ａの他側には、測定値を表示する表示パネル１９が設けられている。
【００３０】
測定台１７には、中心から偏心した位置に円形状の測定窓２０が設けられ、試料回転ユニット１８には、試料カップ２１（Ａ）〔図９（ａ）参照〕を載せる試料台２２が設けられている。試料カップ２１（Ａ）は、少なくとも底部が透明であり、この試料カップ２１（Ａ）には、粉粒体や液体の試料を入れることができる。
【００３１】
装置ケーシング１６の内部には、図３のように、ミラー２４とフィルター２５とランプ２６と分光器２７とでなる光学測定ユニットが格納されている。
【００３２】
そして、ランプ２６の照明光を測定窓２０から試料カップ２１（Ａ）内の試料に４５度の方向から照射し、試料からの垂直方向の反射光若しくは透過光を、フィルター２５を通過させた後にミラー２４で方向を変えて分光器（受光光学系）２７に導光する。この分光器２７で、試料の反射特性若しくは吸光特性を測定するようになっている。
【００３３】
図４は測定台１７であり、（ａ）は表面側の斜視図、（ｂ）は裏面側の斜視図である。
【００３４】
測定台１７は、図３のように、装置ケーシング１６の天板１６ａの開口１６ｂを上方から密に塞いだ状態で、図４のように、複数個（本例では３個）の皿ねじ用孔１７ａを利用した皿ねじ２３（図２参照）によって装置ケーシング１６に固定されている。照明光と反射光若しくは透過光の出射と入射を兼ねる測定窓２０は、表面側から見れば円形であるが、裏面側から見れば遮光シート２８〔図４（ｂ）のハッチング参照〕でカバーされて楕円形になっている。
【００３５】
測定台１７の表面の複数箇所（本例では４箇所）に分散した位置にはマグネット３０が面一状態で埋め込まれ、後述する位置決めボス１７ｂに対向した位置の１箇所にはクリック用ボール３１が突出状態で埋め込まれている。また、ストッパーピン１７ｃが突出状態で形成されているとともに、後述する各ローレットねじ３８の頭部逃げ用長溝１７ｄがそれぞれ形成されている。
【００３６】
測定台１７の裏面には、電動モータ３２が取付けられ、図５のように、この電動モータ３２の回転軸（出力軸）３２ａは、測定台１７の表面から突出する位置決めボス１７ｂの内部に臨まされている。
【００３７】
図７（ａ）のように、回転軸３２ａには、複数本（本例では３本）のカップリングピン３３ａが突出されたカップリング軸３３が止めねじ３３ｂで固定されている。
【００３８】
カップリング軸３３には、防塵・防摘用シールであるＶリング３９が嵌め込まれ、Ｖリング３９は、位置決めボス１７ｂの内面に密に接触されている。
【００３９】
図５は測定台１７に試料回転ユニット１８を載置した状態の側面断面図である。図６は試料回転ユニット１８を裏面側から見た分解斜視図である。
【００４０】
試料回転ユニット１８は、測定台１７と略同径の上カバー３４と、この上カバー３４の開口３４ａの内部で回転自在に支持され、試料を載せるリング状の試料台２２とを備えている。また、試料台２２の外周のギア部（従動軸部）２２ｂにギア結合するギア（駆動軸）３６と、試料台２２とギア３６とを上カバー３４との間で保持し、ギア３６の位置に位置決め穴３７ａが形成された台板３７とを備えている。台板３７は、試料台２２のマグネット３０で吸着保持される金属（例えばステンレス）製である。
【００４１】
上カバー３４の開口３４ａの内部には、試料台２２の上段リング部２２ｃを裏面側から嵌め込んで回転自在に保持するとともに、表面方向に抜け止めする嵌合凹部３４ｂが形成されている。
【００４２】
試料台２２の中段リング部の外周にギア部（従動軸部）２２ｂが形成され、下段リング部２２ｄの内周に試料カップ２１（Ａ）を載せるカップ台部２２ｅが形成されている。
【００４３】
上カバー３４の裏面側には、ギア３６の中心穴を回転自在に支持するとともに、表面方向に抜け止めする軸部３４ｃが形成され、この軸部３４ｃで支持されたギア３６が試料台２２のギア部２２ｂにギア結合されるようになる。なお、ギア結合に代えて、プーリ等によるフリクション結合とすることもできる。
【００４４】
台板３７は、上カバー３４の裏面と略面一となるように下凹部３４ｄに嵌め込まれ、複数本（本例では４本）のボックス穴付きローレットねじ３８で上カバー３４に着脱可能に固定されるようになる。
【００４５】
このとき、台板３７の中心穴３７ｄに試料台２２の下段リング部２２ｄが嵌まり込み、台板３７の位置決め穴３７ａにギア３６の軸部３６ａが遊嵌状態で嵌まり込むことで、試料台２２とギア３６は、上カバー３４と台板３７との間で保持されるようになる。
【００４６】
台板３７の位置決め穴３７ａは、測定台１７の位置決めボス１７ｂの外周に回動可能に嵌合するようになる。位置決めボス１７ｂの外周上端は、位置決め穴３７ａの嵌合を容易にするためのカット面１７ｅ〔図７（ａ）参照〕に形成されている。
【００４７】
ギア３６の軸部３６ａには、図６および図７（ｂ）〜（ｄ）のように、電動モータ３２のカップリング軸３３の各カップリングピン３３ａに嵌まり込むカップリング凹部３６ｂがそれぞれ形成されている。カップリング凹部３６ｂは、カップリング軸３３の回転方向と反対側の内縁部が斜面に形成されている。したがって、図７（ｂ）の嵌合前の状態から、図７（ｃ）の嵌合中、図７（ｄ）の嵌合後のように、カップリングピン３３ａにカップリング凹部３６ｂが嵌まり込みやすくなっている。
【００４８】
台板３７の複数箇所（本例では４箇所）には、試料回転ユニット１８を測定台１７の表面に載置したときに、測定台１７の表面に当接する複数個（本例では４個）の脚状突起３７ｂが形成されている。また、台板３７には、上カバー３４の複数箇所（本例では２箇所）の突起部３４ｅに嵌めて位置決めするための位置決め小孔３７ｃが形成されている。
【００４９】
台板３７には、位置決め穴３７ａを半径中心とした円周方向に複数個（本例では３個の）のクリック穴３７ｅが形成されるとともに、中心穴３７ｄを半径中心として円周方向に延在するストッパー長穴３７ｆが形成されている。
【００５０】
図１のように、上カバー３４の表面には、試料台２２の位置決めボス１７ｂの中心に対応する位置に、目印となる窪み３４ｆが形成されている。
【００５１】
前記のように構成した光学特性測定装置１５であれば、図２のように、最初は、装置ケーシング１６の天板１６ａに固定された測定台１７から試料回転ユニット１８が取り外されている状態である。
【００５２】
そして、試料回転ユニット１８を手で掴んで、窪み３４ｆを目印として、試料台２２の位置決めボス１７ｂの外周に台板３７の位置決め穴３７ａを嵌合させながら、試料回転ユニット１８を測定台１７の表面に載置する。これにより、試料回転ユニット１８が測定台１７に位置決めされるようになる。
【００５３】
同時に、試料回転ユニット１８のギア３６の軸部３６ａのカップリング凹部３６ｂは、回転軸３２ａのカップリング軸３３の各カップリングピン３３ａに嵌まり込むことで、ギア３６が回転軸３２ａにカップリング結合されるようになる。また、試料回転ユニット１８の各ローレットねじ３８の頭部が測定台１７の各長溝１７ｄ内にそれぞれ入り込み、測定台１７のストッパーピン１７ｃが台板３７のストッパー長穴３７ｆに入り込む。
【００５４】
試料回転ユニット１８の位置決めボス１７ｂを中心とする回動位置は、先ずは、図１（ａ）のように、測定台１７と同心位置となるように設定する。この同心位置では、測定台１７のクリック用ボール３１に台板３７のクリック穴３７ｅの１つが係合することで、クリック止めされて、試料回転ユニット１８の回動位置が規制されるようになる。また、台板３７が測定台１７のマグネット３０に吸着保持されることで、試料回転ユニット１８が不用意に動かないように保持されるようになる。
【００５５】
試料回転ユニット１８を測定台１７と同心位置となるように設定した場合、図１のように、円形状の測定窓２０の一部が試料台２２で遮られているように見えるが、測定中心ａは遮られていないので、測定には支障が生じない。
【００５６】
ついで、図９（ａ）のように、試料回転ユニット１８の試料台２２のカップ台部２２ｅに、粉粒体や液体の試料を入れた試料カップ２１（Ａ）を載せる。この試料カップ２１（Ａ）は、カップ台部２２ｅに、円周方向のがたつきが生じないようにセンタリング状態で直接載せることができる大径カップである。この状態では、測定台１７の測定窓２０の測定中心ａに対して試料回転ユニット１８の試料台２２、つまり試料カップ２１（Ａ）の回転中心ｂが距離ｃで偏心している状態である。
【００５７】
その後、装置ケーシング１６の側面のスタートスイッチ４１をオンして、電動モータ３２の回転軸３２ａを回転させると、ギア３６とギア部２２ｂを介して試料台２２が上カバー３４の開口３４ａ内で回転されるようになる。これにより、試料台２２に載せた試料カップ２１（Ａ）内の試料は、試料台２２の回転に伴って回転移動しながら測定窓２０の測定中心ａに対向するから、試料の表面を平均的に測定できるようになる。
【００５８】
ここで、測定台１７の測定窓２０の測定中心ａに対して試料回転ユニット１８の試料台２２の回転中心ｂを偏心させている状態で、電動モータ３２の回転軸３２ａを回転させなければ、測定窓２０の測定中心ａに対向する試料の表面だけをスポット測定することができる。
【００５９】
一方、装置ケーシング１６の天板１６ａの開口１６ｂを上方から塞ぐように測定台１７を固定している。したがって、試料である粉粒体や液体を試料カップ２１（Ａ）に入れて測定するに際して、誤って粉粒体や液体をこぼしても、この開口１６ｂから装置ケーシング１６内に入り込まない。したがって、装置ケーシング１６内の光学系等に対する防塵・防摘性を確保することができる。
【００６０】
また、電動モータ３２の回転軸３２ａは、測定台１７の位置決めボス１７ｂ内に臨まされているから、位置決めボス１７ｂと回転軸３２ａとの間に簡易な防塵・防摘用シールであるＶリング３９を介在させるだけで、高精度で防塵・防摘性が確保できる。
【００６１】
さらに、試料台２２とギア３６は、上カバー３４と台板３７との間で保持されているから、電動モータ３２の回転軸３２ａからギア３６に回転力が伝達された際に、試料台２２とギア３６との位置ずれが生じない。
【００６２】
また、試料回転ユニット１８のギア３６は、測定台１７の回転軸３２ａのカップリング軸３３とカップリング結合されるから、試料回転ユニット１８をマグネット３０の吸着力に抗して測定台１７から容易に着脱できる。したがって、試料台２２および試料回転ユニット１８の清掃が容易に行える。
【００６３】
さらに、装置ケーシング１６の表面に電気接点等が無いため、試料回転ユニット１８に厳しい防塵・防摘性が要求されないから、試料回転ユニット１８は、分解や清掃が容易な構成を採用することができる。
【００６４】
また、試料回転ユニット１８を測定台１７にマグネット３０で吸着保持することで、測定台１７に対して試料回転ユニット１８が不用意に動かないように保持することができる。さらに、マグネット３０による吸着保持であるから、試料回転ユニット１８を測定台１７に対して回動させ、あるいは、測定台１７から簡単に取り外すこともできる。
【００６５】
また、台板３７は、上カバー３４にローレットねじ３８で着脱可能に固定されている。したがって、ローレットねじ３８を指で回して抜き取って、上カバー３４から台板３７を取り外せば、上カバー３４と試料台２２とギア３６とを簡単に分解でき、各部品の点検・清掃が容易であるとともに、各部品の再組み立ても簡単かつ迅速に行えるようになる。なお、台板３７の固定は、ローレットねじ３８に限られるものではなく、要するに着脱可能に固定できるものであればよい。
【００６６】
前記の光学特性測定装置１５において、図９（ｂ）のように、大径の試料カップ２１（Ａ）に代えて、小径の試料カップ２１（Ｂ）を試料台２２のカップ台部２２ｅに載せることもできる。この場合、小径の試料カップ２１（Ｂ）が試料台２２の中心穴２２ａよりも小径であれば、カップ台部２２ｅに直接載せることができない。そこで、アダプターリング（不図示）をカップ台部２２ｅに載せ、このアダプターリングの上に小径の試料カップ２１（Ｂ）をセンタリング状態で載せるようにする。
【００６７】
この小径の試料カップ２１（Ｂ）の場合、試料カップ２１（Ｂ）内の試料が測定窓２０の測定中心ａに対向しないことがあり、これでは、試料の表面を平均的に測定できないことになる。
【００６８】
そこで、試料回転ユニット１８をマグネット３０の吸着力に抗して、測定台１７の位置決めボス１７ｂに嵌合する台板３７の位置決め穴３７ａを中心に手で回動操作する〔図８（ａ）（ｂ）、図９（ｂ）の矢印ｅ参照〕。これにより、試料カップ２１（Ａ）の回転中心ｂが測定窓２０の測定中心ａに近づくようになる。なお、各ローレットねじ３８の頭部は、測定台１７の頭部逃げ用長溝１７ｄに入り込んでいるので、試料回転ユニット１８の回動操作に支障は生じない。
【００６９】
そして、測定台１７の測定窓２０の測定中心ａに対して試料回転ユニット１８の試料台２２、つまり試料カップ２１（Ｂ）の回転中心ｂが距離ｄ（ｃ＞ｄ）で偏心する位置まで試料回転ユニット１８を回動操作する。すると、その位置に相当する台板３７のクリック穴３７ｅの１つが測定台１７のクリック用ボール３１に係合することで、クリック止めされて、試料回転ユニット１８の回動位置が規制されるようになる。なお、試料回転ユニット１８は、台板３７のストッパー長穴３７ｆに係合する測定台１７のストッパーピン１７ｃで最大回動操作角度が規制されている。
【００７０】
その後、大型の試料カップ２１（Ａ）と同様に、装置ケーシング１６の側面のスタートスイッチ４１をオンして、電動モータ３２の回転軸３２ａを回転させると、ギア３６とギア部２２ｂを介して試料台２２が上カバー３４の開口３４ａ内で回転されるようになる。これにより、試料台２２に載せた小型の試料カップ２１（Ｂ）内の試料は、試料台２２の回転に伴って回転移動しながら測定窓２０の測定中心ａに対向するから、試料の表面を平均的に測定できるようになる。
【００７１】
このように、試料回転ユニット１８は、測定台１７の位置決めボス１７ｂを中心に回動可能であるから、測定台１７の測定窓２０の測定中心ａに対して試料台２２、つまり試料カップ２１（Ａ，Ｂ）の回転中心ｂを遠ざけ、あるいは近づけることができる。したがって、試料台２２の回転に伴って試料を回転移動させながら測定窓２０に対向させる場合、試料カップ２１（Ａ，Ｂ）の大小に拘わらず試料を測定台１７の測定窓２０に臨ませて試料の表面を平均的に測定できるから、汎用性が向上するようになる。
【００７２】
前記実施形態は、粉粒体や液体を試料カップ２１（Ａ，Ｂ）に入れて測定する場合を例示したが、大型の果実などの試料〔図１１（ｃ）の符号４ｃ参照〕を直接載せて測定したいような場合もある。この場合には、試料回転ユニット１８に代えて、図１０のような試料ユニット４３を測定台１７の表面に載置すればよい。
【００７３】
この試料ユニット４３は、マグネット３０で測定台１７に吸着保持することができる。
【符号の説明】
【００７４】
１５    光学特性測定装置
１６    装置ケーシング
１６ａ  天板
１６ｂ  開口
１７    測定台
１７ｂ  位置決めボス
１８    試料回転ユニット
２０    測定窓
２１（Ａ，Ｂ）  試料カップ
２２    試料台
２２ｂ  ギア部（従動軸部）
３０    マグネット
３１    クリック用ボール
３２    電動モータ
３２ａ  回転軸
３４    上カバー
３４ａ  開口
３６    ギア（駆動軸）
３７    台板
３７ａ  位置決め穴
３７ｅ  クリック穴
３８    ローレットねじ
４３    試料ユニット
【図１】
2014224733.tif 000003
【図２】
2014224733.tif 000004
【図３】
2014224733.tif 000005
【図４】
2014224733.tif 000006
【図５】
2014224733.tif 000007
【図６】
2014224733.tif 000008
【図７】
2014224733.tif 000009
【図８】
2014224733.tif 000010
【図９】
2014224733.tif 000011
【図１０】
2014224733.tif 000012
【図１１】
2014224733.tif 000013